(57)【要約】      （修正有）【課題】クロージャー内の芯線接続を効率的で自動的に行う光ケーブルの芯線自動接続プログラムを提供する。【解決手段】光ケーブル敷設の地図を記憶する地図データ記憶部6aと、上記地図を画面上に出力する出力手段4と、上記地図上に光ケーブルの敷設ルートを作図する入力手段2と、光ケーブルを接続する接続機器、カプラ等のシンボルを記憶する機器シンボル記憶部6bと、カプラ接続パターンを記憶するカプラ接続パターン記憶部6dと、カプラ接続パターンを上記画面上に表示させ、入力手段を介しルート上に接続機器を配置すると共に、表示されているカプラ接続パターンのカプラを接続機器に対して割り付けた際に、自動結線処理プログラム5eを用い、カプラ接続パターンに従い、光ケーブル敷設ルート始点側の接続機器からその接続機器内に配置されたカプラシンボルに光ケーブルの芯線を接続する接続処理部3を備える。【選択図】図１
2010282500.tif 000002
【特許請求の範囲】
【請求項１】
光ケーブル敷設地域の地図を画面上に表示するステップと、
オペレータにより設定された光ケーブル敷設ルートを上記地図上に表示するステップと、
光ケーブルを接続する、シンボル化された接続機器を上記光ケーブル敷設ルート上に配置するステップと、
入力手段から入力されたカプラ分岐数の数字列に基づいてカプラ接続パターンを生成するステップと、
記憶部に予め記憶されている上記カプラ接続パターンを読み出して上記画面上に表示するステップと、
画面上に表示された上記カプラ接続パターンのカプラシンボルを上記接続機器に対して任意に割り付けた際に、上記カプラ接続パターンにしたがって、上記光ケーブル敷設ルート始点側の上記接続機器から、その接続機器内に割り付けられたカプラシンボルに上記光ケーブルの芯線を接続していくステップをコンピュータに実行させるための光ケーブルの芯線自動接続プログラム。
【請求項２】
シンボル化した上記カプラに、自己の識別情報と、入力端子側に接続されるケーブルの識別情報と、出力端子側に接続されるケーブルの識別情報とが付加されている請求項１記載の光ケーブルの芯線自動接続プログラム。
【請求項３】
入力手段から入力されたカプラ分岐数の数字列に基づいて上記カプラ接続パターンを生成する請求項１または２記載の光ケーブルの芯線自動接続プログラム。
【請求項４】
上記ケーブルの識別情報としての芯線番号を使用し、一番若い番号の芯線から順にカプラシンボル間の芯線接続を行う請求項２または３記載の光ケーブルの芯線自動接続プログラム。
【請求項５】
請求項１〜４のいずれか１項に記載の芯線自動接続プログラムを記録した、コンピュータ読み取り可能な記録媒体。
【請求項６】
光ケーブル敷設地域の地図を記憶している地図データ記憶部と、
光ケーブル敷設地域の地図を画面上に出力する出力手段と、
画面上に表示された地図上に光ケーブルの敷設ルートを作図するとともに、各種指令を入力する入力手段と、
光ケーブルを接続する接続機器、カプラ等をシンボル化して記憶している機器シンボル記憶部と、
カプラ接続パターンを記憶しているカプラ接続パターン記憶部と、
上記カプラ接続パターン記憶部からカプラ接続パターンを読み出して上記画面上に表示させ、上記入力手段を介し上記ルート上に接続機器を配置するとともに、表示されている上記カプラ接続パターンのカプラを上記接続機器に対して任意に割り付けた際に、自動結線処理プログラムを用い、上記カプラ接続パターンに従い、上記光ケーブル敷設ルート始点側の上記接続機器から、その接続機器内に配置されたカプラシンボルに上記光ケーブルの芯線を接続していく接続処理部を備えてなることを特徴とする光ケーブルの芯線自動接続システム。
【請求項７】
シンボル化した上記カプラに、自己の識別情報と、入力端子側に接続されるケーブルの識別情報と、出力端子側に接続されるケーブルの識別情報とが付加されている請求項６記載の光ケーブルの芯線自動接続システム。
【発明の詳細な説明】
【技術分野】
【０００１】
本発明は、光ケーブルの芯線を効率的に自動接続するための光ケーブルの芯線自動接続プログラムおよび芯線自動接続システムに関するものである。
【背景技術】
【０００２】
従来、光ケーブル伝送路として新たに光ケーブルを敷設する場合、まず、光ケーブルを敷設しようとする地域の地図を画面上に読み出し、ＣＡＤソフトを用いてその地図上に光ケーブルのルート図を描き、接続機器としてのクロージャーシンボルを上記ルート上に配置し、さらにそれらのクロージャーシンボル内にカプラシンボルを割り付けるようになっている。
【０００３】
クロージャーシンボル内に割り付けられたカプラシンボルの芯線接続は、上段側のカプラシンボルと下段側のカプラシンボルの各端子を線分で結ぶといった手動操作により行い、複数のクロージャーについて上記手動接続操作を繰り返し実行していくことにより、光ケーブル配線図の最終目的である芯線接続図を完成している。
【０００４】
また、カプラシンボルの各端子を線分で結ぶのではなく表入力形式の手動操作によりシンボルに接続情報をあたえ芯線接続図を完成する方法も知られている（例えば、特許文献１参照）。
【先行技術文献】
【特許文献】
【０００５】
【特許文献１】特開２００６−１９０１１５号公報
【発明の概要】
【発明が解決しようとする課題】
【０００６】
従来は、ルート図上にｎ個配置したクロージャー内の結線については、１個ずつクロージャーを展開してカプラを割り付けており、この操作をｎ個分繰り返すことにより、すべてのカプラを割り付けていた。
【０００７】
カプラ同士の芯線の接続が終了すると、ルートの始点から終点まで上記芯線接続図を展開することが可能であるが、仮に、この段階で配線の変更が生じた場合には、再度、上記カプラ同士の芯線の接続作業に戻り、ｎ個のクロージャーについて手動で配線を変更しなければならない。
【０００８】
詳しくは、カプラ同士の芯線を接続する場合、芯線接続コマンドとして予め用意されているシンボルリストから、所望するカプラシンボルを選択し、未接続のクロージャー内にそのカプラシンボルを割り付けるようになっているが、それぞれのクロージャー内のカプラについては、所定のレベル範囲内を満足するようにルート図と照らし合わせながら、独立した状態で全体のカプラ配列を考えながら割り付けていく。
【０００９】
次いで、割り付けたそのカプラシンボルに対し、接続先を端子毎に指示して配線を行い、芯線が重なってしまった場合には、これを手動で修正し、最終的にカプラ同士の芯線接続を完成させる。
【００１０】
このような手動による芯線接続操作を、ルート上に配置されたすべてのカプラについて行なう必要があるため、芯線接続図を完成させるまでに多大な時間と労力が費やされていた。
【００１１】
本発明は以上のような従来の光ケーブルの芯線接続における課題を考慮してなされたものであり、クロージャーへのカプラの割り付けとクロージャー内に割り付けられたカプラの芯線接続を効率的、且つ自動的に作成することができる光ケーブルの芯線自動接続プログラムおよび芯線自動接続システムを提供するものである。
【課題を解決するための手段】
【００１２】
本発明に係る光ケーブルの芯線自動接続プログラムは、光ケーブル敷設地域の地図を画面上に表示するステップと、
オペレータにより設定された光ケーブル敷設ルートを上記地図上に表示するステップと、
光ケーブルを接続する、シンボル化された接続機器を上記光ケーブル敷設ルート上に配置するステップと、
入力手段から入力されたカプラ分岐数の数字列に基づいてカプラ接続パターンを生成するステップと、
記憶部に予め記憶されている上記カプラ接続パターンを読み出して上記画面上に表示するステップと、
画面上に表示された上記カプラ接続パターンのカプラシンボルを上記接続機器に対して任意に割り付けた際に、上記カプラ接続パターンにしたがって、上記光ケーブル敷設ルート始点側の上記接続機器から、その接続機器内に割り付けられたカプラシンボルに上記光ケーブルの芯線を接続していくステップをコンピュータに実行させることを要旨とするものである。
【００１３】
本発明において、上記カプラ接続パターンとは、カプラの割り付け数とカプラ間の光ケーブルの敷設ルートによってカプラの段数と分岐の形態が決定されることから、光信号の出力が所定範囲のレベルを維持できるような上記段数と上記分岐の形態にカプラを配列し、これを登録したものを意味する。
【００１４】
本発明において、プログラムとはコンピュータによって直接実行可能なもの、およびハードディスクなどにインストールすることによって実行可能となるものの両方を含む概念である。また、インターネット上でインストールされる場合には圧縮、暗号化されたものも含まれる。
【００１５】
上記芯線自動接続プログラムにおいて、シンボル化した上記カプラに、自己の識別情報と、入力端子側に接続されるケーブルの識別情報と、出力端子側に接続されるケーブルの識別情報とを付加することができる。
【００１６】
上記芯線自動接続プログラムにおいて、入力手段から入力されたカプラ分岐数の数字列に基づいて上記カプラ接続パターンを任意に生成することができる。
【００１７】
上記芯線自動接続プログラムにおいて、上記ケーブルの識別情報としての芯線番号を使用し、一番若い番号の芯線から順にカプラシンボル間の芯線接続を行うことができる。
【００１８】
本発明は、上記した芯線自動接続プログラムを記録した、コンピュータ読み取り可能な記録媒体である。
【００１９】
本発明に係る光ケーブルの芯線自動接続システムは、
光ケーブル敷設地域の地図を記憶している地図データ記憶部と、
光ケーブル敷設地域の地図を画面上に出力する出力手段と、
画面上に表示された地図上に光ケーブルの敷設ルートを作図するとともに、各種指令を入力する入力手段と、
光ケーブルを接続する接続機器、カプラ等をシンボル化して記憶している機器シンボル記憶部と、
カプラ接続パターンを記憶しているカプラ接続パターン記憶部と、
上記カプラ接続パターン記憶部からカプラ接続パターンを読み出して上記画面上に表示させ、上記入力手段を介し上記ルート上に接続機器を配置するとともに、表示されている上記カプラ接続パターンのカプラを上記接続機器に対して任意に割り付けた際に、自動結線処理プログラムを用い、上記カプラ接続パターンに従い、上記光ケーブル敷設ルート始点側の上記接続機器から、その接続機器内に配置されたカプラシンボルに上記光ケーブルの芯線を接続していく接続処理部を備えてなることを特徴とする。
【００２０】
上記芯線自動接続システムにおいて、シンボル化した上記カプラに、自己の識別情報と、入力端子側に接続されるケーブルの識別情報と、出力端子側に接続されるケーブルの識別情報とを付加することができる。
【００２１】
なお、前述した先行技術（特許文献１）では表入力形式の手動操作という手段によりシンボルやケーブルの識別情報を入力するが、本発明ではカプラ接続パターンのカプラをルート上に配置した機器に割りつけるだけで識別情報が付加されるという違いがある。
【発明の効果】
【００２２】
本発明によれば、従来、接続機器単位でカプラの割り付けを作図していたが、光ケーブルのルート図を俯瞰しながら接続機器へカプラを割り付けることが可能となり、従来、手作業で行っていた接続機器内の光ケーブルの芯線接続を自動的に作成することができるため、芯線接続図を効率良く完成させることができる。
【図面の簡単な説明】
【００２３】
【図１】本発明に係る芯線自動接続システムの構成を示すブロック図である。
【図２】本発明に係る芯線自動接続システムによって作成されるルート図である。
【図３】本発明に係るカプラシンボルの構成を示す説明図である。
【図４】本発明に係るカプラ接続パターンを示す説明図である。
【図５】(ａ)〜(ｄ)は芯線自動接続の手順を示す説明図である。
【図６】(ｅ)〜(ｈ)は図５に引き続き、芯線自動接続の手順を示す説明図である。
【図７】本発明に係る芯線自動接続におけるカプラ接続パターン作成処理を説明するフローチャートである。
【図８】本発明に係る芯線自動接続におけるパターン配置処理を説明するフローチャートである。
【図９】本発明に係る芯線自動接続における自動結線処理を説明するフローチャートである。
【図１０】本発明に係る基本配列パターンの登録方法を示す説明図である。
【図１１】本発明に係るカプラシンボルが保持する接続情報を示す説明図である。
【発明を実施するための形態】
【００２４】
以下、図面に示した実施の形態に基づいて本発明を詳細に説明する。
【００２５】
1.  芯線自動接続システムの構成
図１は、芯線自動接続システムの構成を示すブロック図である。
【００２６】
同図において、芯線自動接続システム１は、入力手段２と、この入力手段２から入力される情報および指令に基づき、芯線自動接続に関する各種処理をＣＰＵを用いて実行する接続処理部３と、処理内容を出力する出力手段４と、上記接続処理部３を構成しているハードディスク５およびとデータ記憶部６と、ハードディスク５に接続されたＣＤ−ＲＯＭドライブ７とから主として構成されている。
【００２７】
以下、各手段２，４および接続処理部３の内容について詳しく説明する。
【００２８】
1.1  入力手段
入力手段は、例えばキーボード、またはマウスやタッチパネル等のポインティングデバイスから構成することができ、光ケーブルのルートを作成するにあたり、画面上に表示された地図上に、始端から終端までのルートを描く。
【００２９】
また、クロージャー（接続機器）、カプラおよび末端機器が予めシンボル化されて記憶されており、ドラッグ＆ドロップ操作によって上記ルート上に簡単に配置、または割り付けることができるようになっている。
【００３０】
なお、上記ルートの作図、クロージャーの配置、カプラの割り付け等は、後述するＣＡＤプログラムを利用して行われる。
【００３１】
1.2  出力手段
出力手段は、モニタやプロジェクタ等の表示装置から構成されるが、記録用としてアナログデータに変換して出力する例えばプリンタ等を含むこともできる。
【００３２】
1.3  接続処理部
接続処理部３のハードディスク５には、ルート作成プログラム５ａと、クロージャー配置プログラム５ｂと、カプラ接続パターン作成プログラム５ｃと、パターン配置プログラム５ｄと、自動結線プログラム５ｅと、汎用のＣＡＤプログラム５ｆが記憶されている。
【００３３】
これらのプログラムは上記ＣＤ−ＲＯＭドライブ７を介し、ＣＤ−ＲＯＭ８からインストールされるようになっている。
【００３４】
一方、上記記憶部６は、地図データ記憶部６ａ、機器シンボル記憶部６ｂ、クロージャー配置記憶部６ｃ、カプラ接続パターン記憶部６ｄおよび結線図記憶部６ｅとから構成されている。
【００３５】
上記ルート作成プログラム５ａは、地図データ記憶部６ａから光ケーブル敷設地域の地図を読み出して出力手段４としてのモニタ画面上に表示し、入力手段２によって入力されたストランド（実線）を地図上に描くことにより、光ケーブルのルートを作成するようになっている。
【００３６】
上記クロージャー配置プログラム５ｂは、オペレータがルート上にクロージャーシンボルをドラッグ＆ドロップ操作すると、すなわち、機器シンボル記憶部６ｂからクロージャーシンボルを読み出してルート上にそのクロージャーシンボルを配置すると、配置されたクロージャーシンボルをクロージャー配置記憶部６ｃに記憶するようになっている。
【００３７】
上記カプラ接続パターン作成プログラム５ｃは、図１０に示すように、画面上に表示される「配列パターンの登録」の入力ボックス内に任意のカプラ分岐数、例えば「２」，「４」，「３」，「４」，「３」を入力すると、入力された数字列に基づいてカプラ接続パターンを自動的に生成し、カプラ接続パターン記憶部６ｄに記憶するようになっている。なお、末端機器（ＯＮＵ）については自動接続されるようになっている。
【００３８】
上記パターン配置プログラム５ｄは、図２に示したルート図と同時にカプラ接続パターンを画面上に表示させることで、図２のルート図に対して独立した状態ではなく、同一画面で確認できるようにしている。それにより、最終形態の結線図をイメージしながら、クロージャーにカプラを割り付けることができるようになっている。
【００３９】
また、上記パターン配置プログラム５ｄは、画面上に表示されているカプラ接続パターンのカプラを、ドラッグ＆ドロップによってルート上に配設されているクロージャーシンボル内に割り付けた際に、カプラ接続パターン記憶部６ｄに記憶されているカプラ接続パターンの該当するカプラシンボルと上記クロージャー配置記憶部６ｃに記憶されている該当するクロージャーシンボルとをリンクさせるようになっている。
【００４０】
上記自動結線プログラム５ｅは、図５〜図９に詳述する処理内容に基づき、クロージャー内に割り付けられた各カプラについて芯線接続処理を実行し、その結果を結線図記憶部６ｅに記憶するようになっている。
【００４１】
2.  機器シンボルの割り付け
図２は、本発明に係る光ケーブルの芯線自動接続システムによって作成されるルート図を示したものである。なお、図２と図４のカプラ接続パターンは同一画面上に表示される。
【００４２】
画面上に表示された地図（図示しない）の例えば道路に沿って、ＳＴＡＲＴから終端側までのルートＲが描かれている。
【００４３】
このルートＲ上にはＣＬＫ１〜ＣＬＫ８クロージャーシンボルが手動で配置され、また、上記ＣＬＫ１〜ＣＬＫ８クロージャーにはさらにパターン配置プログラム５ｄにより、カプラシンボルが割り付けられている。
【００４４】
具体的には、例えば、下記表１に示すように、ＣＬＫ２クロージャーシンボルにはＣ２カプラシンボルが、ＣＬＫ３クロージャーシンボルにはＡ１カプラシンボルが、ＣＬＫ４クロージャーシンボルにはＢ１およびＣ１カプラシンボルが、ＣＬＫ６クロージャーシンボルにはＣ３カプラシンボルが、ＣＬＫ７クロージャーシンボルにはＣ４カプラシンボルがそれぞれ割り付けられるようになっている。
【００４５】
なお、一つのクロージャーシンボル内に複数のカプラシンボルを割り付けることもできる。また、Ｄ１〜Ｄ１２末端機器についても同様に各クロージャーシンボルに配置する。
【００４６】
【表１】
2010282500.tif 000003
【００４７】
2.1  カプラシンボル
ここで、上記カプラシンボルの構成について説明する。
【００４８】
図３はクロージャー内に割り付けられるカプラシンボル、例えばＡタイプカプラを示したものであり、縦棒の左側には入力端子が横線で表され、縦棒の右側には分岐端子が横線で表されている。なお、横線の数は端子数を表している。また、「Ａ１」はＡタイプカプラにおいて優先順位の一番目に接続されるカプラの識別記号を表している。
【００４９】
なお、カプラは配列される段数に応じてＡタイプ〜Ｇタイプまで用意されているが、本実施形態では説明を簡単にするため、Ａタイプ〜Ｃタイプに限って説明する。
【００５０】
また、図１１に示すように例えば４分岐タイプのカプラシンボルを例に取ると、入力端子１は「入力側ケーブル１」という接続情報を持ち、分岐端子１は「出力側ケーブル１」という接続情報を持ち、同様にして分岐端子４まで入力端子側と出力端子側の接続情報を保持するようになっている。
【００５１】
2.2  カプラ接続パターン
図４は、「３−４−３」タイプのカプラ接続パターンを示した図である。
【００５２】
「３−４−３」タイプとは、配線していく方向において先頭に位置するＡタイプカプラシンボルの分岐数が「３」であり、２番目に位置するＢタイプカプラシンボルの分岐数が「４」であり、３番目に位置するＣタイプカプラシンボルの分岐数が「３」であることを意味している。
【００５３】
これらカプラシンボル間の芯線接続は、カプラシンボルが割り付けられるクロージャーシンボルの位置に関係なくＡ→Ｂ→Ｃタイプの順序に配線することが定義されている。また、同じタイプ名で複数のカプラシンボル、例えばカプラシンボルＣ１，Ｃ２…が存在する場合は、付与されている数値の順に配線することが定義されている。なお、Ｃタイプカプラシンボルの分岐側にはＤタイプ末端機器が接続される。
【００５４】
このように定義されたカプラ接続パターンに従って自動結線処理が実行される。
【００５５】
3.  自動結線の原理
図５(ａ)は、光ケーブルの芯線として８芯を割り付けた場合の配線図を示したものである。なお、Ｄタイプ末端機器についてはこの段階では接続されないため図示を省略している。クロージャー内に割り付けられたカプラはシンボルで表されている。
【００５６】
3.1  Ａ１カプラシンボルへの接続
図５(ｂ)に示すように、Ａ１カプラシンボルへの接続は、ＳＴＡＲＴ→ＣＬＫ１→ＣＬＫ２→ＣＬＫ３クロージャーシンボルの順となる。
【００５７】
このとき、８芯ケーブルのうち、一番若い芯番号を取得し、Ａ１カプラシンボルの入力端子に接続する（ラインＬ１参照）。
【００５８】
3.2  Ａ１カプラシンボルからＢ１カプラシンボルへの接続
図５(ｃ)に示すように、Ａ１カプラシンボルからＢ１カプラシンボルへの接続は、ＣＬＫ３→ＣＬＫ４クロージャーシンボルの順となる（ラインＬ２参照）。
【００５９】
カプラシンボル間の８芯ケーブルのうち、一番若い芯番号を取得し、Ｂ１カプラの入力端子に接続する。さらに、Ｂ１カプラシンボルの分岐端子からＣ１カプラシンボルの入力端子への接続は、ＣＬＫ４クロージャーシンボル内で行われる（ラインＬ３参照）。
【００６０】
3.3  Ｂ１カプラシンボルからＣ２カプラシンボルへの接続
図５(ｄ)に示すように、Ｂ１カプラシンボルからＣ２カプラシンボルへの接続は、ＣＬＫ４→ＣＬＫ３→ＣＬＫ２クロージャーシンボルの順に、逆方向の接続になる（ラインＬ４参照）。
【００６１】
これらのクロージャー間では、光ケーブル（Ｌ１，Ｌ２）については使用済みであるため、空きの光ケーブルのうち一番若い芯番号（ここではＮｏ．２）を取得し、Ｃ２カプラシンボルの入力端子へ接続する。
【００６２】
3.4  Ｂ１カプラシンボルからＣ３カプラシンボルへの接続
図６(ｅ)に示すように、Ｂ１カプラシンボルからＣ３カプラシンボルへの接続は、ＣＬＫ４→ＣＬＫ５→ＣＬＫ６クロージャーシンボルの順となる（ラインＬ５参照）。
【００６３】
3.5  Ｂ１カプラシンボルからＣ４カプラシンボルへの接続
図６(ｆ)に示すように、Ｂ１カプラシンボルからＣ４カプラシンボルへの接続は、ＣＬＫ４→ＣＬＫ５→ＣＬＫ６→ＣＬＫ７クロージャーシンボルの順となる（ラインＬ６参照）。このとき、ＣＬＫ４〜ＣＬＫ５クロージャーシンボル間およびＣＬＫ５〜ＣＬＫ６クロージャーシンボル間では芯番号１を既に使用しているため、芯番号２のケーブルを使用する。
【００６４】
3.6  末端機器の接続
図６(ｇ)に示すように、ＣＬＫ２クロージャーシンボルに割り付けられたＤ４〜Ｄ６末端機器については、Ｃ２カプラシンボルの分岐端子にそれぞれ接続する。ＣＬＫ６クロージャーシンボルに割り付けられたＤ７〜Ｄ９末端機器についてはＣ３カプラシンボルの分岐端子に、ＣＬＫ４クロージャーシンボルに割り付けられたＤ１〜Ｄ３末端機器についてはＣ１カプラシンボルの分岐端子にそれぞれ接続する。
【００６５】
なお、Ｄ１０〜Ｄ１２末端機器については、ＣＬＫ７およびＣＬＫ８クロージャーシンボル間の光ケーブルを用いて接続するものとする。
【００６６】
3.7  同じ芯番号同士の光ケーブルの接続
図６(ｈ)に示すように、個々のクロージャーシンボル同士において接続されていない、同じ芯番号同士の光ケーブルを接続する（ライン群Ｌ７〜Ｌ１２参照）。
【００６７】
4.  芯線自動接続処理
図７〜９は、上記自動結線における芯線自動接続処理を説明するフローチャートである。
【００６８】
芯線自動接続処理は、カプラ接続パターン作成プログラム５ｃによって実行されるパターン作成処理と、パターン配置プログラム５ｄによって実行されるパターン配置処理と、自動結線プログラム５ｅによって実行される自動結線処理とからなり、まず、パターン作成処理について説明する。
【００６９】
4.1  パターン作成処理
図７において、パターン作成処理は、複数段配列されるカプラシンボルの先頭段からその分岐数（２，３，４または８）を入力し（ステップＳ１）、次いで、入力が終了したかまたは段数が７に到達したかどうかを判断し（ステップＳ２）、Ｎｏであれば、次の段のカプラシンボルを画面上に表示し（ステップＳ３）、上段側カプラシンボルと接続し（ステップＳ４）、入力が終了または段数が７に到達していなければ（ステップＳ５）、上記ステップＳ１〜ステップＳ４の処理を繰り返し、ステップＳ２においてＹｅｓになれば、末端機器（ＯＮＵ）を配置して（ステップＳ６）、上段側カプラシンボルと接続し（ステップＳ４）、カプラ接続パターンを作成して処理を終了する。
【００７０】
上記処理によって作成されたカプラ接続パターンは図４に示した通りである。
【００７１】
4.2  パターン配置処理
図８において、パターン配置処理は、上記カプラ接続パターン作成処理によって登録された各カプラを、ルート上に配置されているクロージャーに順次、ドロップ（配置）していく（ステップＳ７→Ｓ８→Ｓ９）。
【００７２】
上記パターン配置処理によってクロージャーシンボルとカプラシンボルがリンクされ、リンクされた状態は、図２に示した通りである。
【００７３】
4.3  自動結線処理
図９において、自動結線処理では、まず、ルート上の各クロージャー同士を接続する光ケーブルの芯数を取得する（ステップＳ１０）。
【００７４】
次いで、ルートの始端から終端までに配置された機器シンボルを認識し、具体的には、ＳＴＡＲＴからまず、Ａタイプカプラシンボルまでのルートを認識し、このルート上の機器ＩＤを取得する（ステップＳ１１）。
【００７５】
同様にこのルート上のケーブル番号（ケーブルＮｏ．１）を取得する（ステップＳ１２）。
【００７６】
次いで、カプラ接続パターンを読み込み（ステップＳ１３）、Ａ１カプラシンボルの分岐数Ｎを取得する。
【００７７】
本実施形態ではＮ＝３のため、Ａ１→Ｂ１，Ａ１→Ｂ２，Ａ１→Ｂ３の３ルートが存在し、これら３ルート上の機器ＩＤを取得する。
【００７８】
上記処理を末端の段数（最大で７段、タイプＧまで）のＣＬＫ８クロージャーシンボルまで行なう（ステップＳ１５）。なお、配列の段数は上記７段以上にすることも可能である。
【００７９】
カプラ接続パターンに規定されている優先順位にしたがって、クロージャー間で使用するケーブル番号を取得する。
【００８０】
ここで、開始、終了クロージャーシンボルであるかどうかを判断し（ステップＳ１６）、Ｙｅｓであればさらにそのクロージャーシンボルが左方向にあるかどうかを判断し（ステップＳ１７）、Ｙｅｓであればクロージャーシンボル内の芯線接続方向を反転させる（ステップＳ１８）。
【００８１】
クロージャーシンボル内に配置されているカプラシンボルの分岐数分について上記芯線の接続を繰り返し、実行する（ステップＳ１９）。
【００８２】
カプラシンボルに端子の空きがあれば（ステップＳ２０）、その空き芯を利用して次のクロージャーシンボルまで接続を行い（ステップＳ２１）、終了クロージャーシンボルに到達すると（ステップＳ２２）、末端機器（ＯＮＵ）を自動的に接続して（ステップＳ２３）処理を終了する。
【００８３】
一方、ステップＳ２２においてＮｏであれば、１段目カプラシンボルが割り付けられているクロージャーシンボル〜最下段のクロージャーシンボルまで上記接続処理を繰り返し実行する。
【００８４】
なお、ステップＳ２０において、空き芯がなければエラーを報知して（ステップＳ２５）処理を終了する。
【００８５】
このようにして、クロージャー内の結線図をＣＡＤデータとして作成し、作成した結線図を保存する。
【符号の説明】
【００８６】
１    芯線自動接続システム
２    入力手段
３    接続処理部
４    出力手段
５    ハードディスク
５ａ  ルート作成プログラム
５ｂ  クロージャー配置プログラム
５ｃ  カプラ接続パターン作成プログラム
５ｄ  パターン配置プログラム
５ｅ  自動結線プログラム
５ｆ  ＣＡＤプログラム
６    記憶部
６ａ  地図データ記憶部
６ｂ  機器シンボル記憶部
６ｃ  クロージャー配置記憶部
６ｄ  カプラ接続パターン記憶部
６ｅ  結線図記憶部
７    ＣＤ−ＲＯＭドライブ
８    ＣＤ−ＲＯＭ
【図１】
2010282500.tif 000004
【図２】
2010282500.tif 000005
【図３】
2010282500.tif 000006
【図４】
2010282500.tif 000007
【図５】
2010282500.tif 000008
【図６】
2010282500.tif 000009
【図７】
2010282500.tif 000010
【図８】
2010282500.tif 000011
【図９】
2010282500.tif 000012
【図１０】
2010282500.tif 000013
【図１１】
2010282500.tif 000014